(57)【要約】【課題】  家庭、オフィス等で使用される椅子、車椅子、自動車内に設置される座席等の、使用者が座ったときに背中に当たる箇所に設けられる背もたれ用部材に関柔らかいクッション性が得られ、また、通気性が優れた背もたれ用部材を提供すること。【解決手段】  この発明の背もたれ用部材は、使用者が座ったときに背中に当たる箇所に設けられる背もたれ用部材であって、凹凸を形成した表側生地１を裏側生地２に取り付けてなり、表側生地１は通気性を有する生地からなるものとし、表側生地１の凸部３を形成した部分が裏側生地２との間に中空部４を有するものとしている。【選択図】  図３
2005185722.tif 000002
【特許請求の範囲】
【請求項１】
使用者が座ったときに背中に当たる箇所に設けられる背もたれ用部材であって、凹凸を形成した表側生地（１）を裏側生地（２）に取り付けてなり、表側生地（１）は通気性を有する生地からなるものとし、表側生地（１）の凸部（３）を形成した部分が裏側生地（２）との間に中空部（４）を有していることを特徴とする背もたれ用部材。
【請求項２】
表側生地（１）の凹部（５ａ）（５ｂ）（５ｃ）（５ｄ）を形成した部分が、使用者の背中に接触しない溝となっているものとした請求項１記載の背もたれ用部材。
【請求項３】
表側生地（１）が、メッシュ状の合成繊維からなるものとした請求項１又は２記載の背もたれ用部材。
【発明の詳細な説明】
【技術分野】
【０００１】
この発明は、家庭、オフィス等で使用される椅子、車椅子、自動車内に設置される座席等の、使用者が座ったときに背中に当たる箇所に設けられる背もたれ用部材に関するものである。
【背景技術】
【０００２】
従来、家庭、オフィス等で使用される椅子や車椅子、自動車内に設置される座席等に関し、スポンジ等の発泡体からなるクッション材を内挿した背もたれが存在する。この種の従来の背もたれは、使用者の背中に接触する側が平面状ないし滑らかな曲線状で、全体的に背中に接するようにしていた（例えば特許文献１の図３参照）。
【０００３】
しかし、前記従来の背もたれは、クッション材の反発力が強いため、長時間使用していると背中に痛みを感じたり、もたれ心地が悪くなったりすることがあり、より柔らかいクッション性が得られるようにしたものが望まれていた。
【０００４】
また、前記従来の背もたれは、使用者の背中全体に接触するため、通気性が悪く、長時間座っていると背中が蒸れたりして使用感が悪くなるという問題があった。さらに、背中に接触する側の生地自体も通気性に乏しく、より通気性をよくすることが望まれていた。
【特許文献１】特開２００１−９５６４２号公報
【発明の開示】
【発明が解決しようとする課題】
【０００５】
そこで、この発明は、柔らかいクッション性が得られ、また、通気性が優れた背もたれ用部材を提供することを課題とする。
【課題を解決するための手段】
【０００６】
前記課題を解決するため、この発明は次のような技術的手段を講じている。
【０００７】
この発明の背もたれ用部材は、使用者が座ったときに背中に当たる箇所に設けられる背もたれ用部材であって、凹凸を形成した表側生地１を裏側生地２に取り付けてなり、表側生地１は通気性を有する生地からなるものとし、表側生地１の凸部３を形成した部分が裏側生地２との間に中空部４を有するものとしている。
【０００８】
表側生地１の凹部５ａ，５ｂ，５ｃ，５ｄを形成した部分が、使用者の背中に接触しない溝となっているものとすることができる。
【０００９】
また、表側生地１は、メッシュ状の合成繊維からなるものとすることができる。
【発明の効果】
【００１０】
この発明の背もたれ用部材は、上述のような構成を有しており、使用者がもたれると、使用者の背中に押されて表側生地１から中空部４内の空気が抜けつつ、凸部３が使用者の背中に接触するので、柔らかいクッション性が得られる。しかも、表側生地１は通気性を有しているので、背中が蒸れにくく、使用感の優れたものとなる。
【００１１】
表側生地１の凹部５ａ，５ｂ，５ｃ，５ｄを形成した部分が、使用者の背中に接触しない溝となっているものとすれば、より通気性が優れたものとなる。
【発明を実施するための最良の形態】
【００１２】
以下、この発明の好適な実施形態を、図面を参照して説明する。
【００１３】
この発明の背もたれ用部材は、使用者が座ったときに背中に当たる箇所に設けられる背もたれ用部材であって、凹凸を形成した表側生地１を裏側生地２に取り付けてなり、表側生地１は通気性を有する生地からなるものとし、表側生地１の凸部３を形成した部分が裏側生地２との間に中空部４を有するものとしている。
【００１４】
図１はこの発明の実施形態の背もたれ用部材を設けた椅子の斜視図、図２はこの背もたれ用部材の分解状態の斜視図、図３は断面図である。
【００１５】
この背もたれ用部材は、オフィス等で使用される椅子の背もたれに設けられたものとしている。
【００１６】
表側生地１は、メッシュ状の合成繊維からなるもので、例えば、縦糸にナイロン、横糸にポリエチレンを使用して編成したメッシュ生地とすることができる。表側生地１には、裏面側から表面側（使用者の背中に接触する側）へ突出する複数の窪みを形成し、この窪みを形成した部分を凸部３とし、凸部３間の窪みを形成していない部分を凹部５ａ，５ｂ，５ｃ，５ｄとしている。凸部３は表側生地１を加熱した型で型押しすることにより形成することができる。
【００１７】
このようにして形成される表側生地１は、凹部５ａ，５ｂ，５ｃ，５ｄを縦横に自由に交差したものとすることが可能である。この実施形態では、凹部については、中央の上端部から下方に向かって下端部の左右端にそれぞれ延びる、上端側から下端側に至る凹部５ａ，５ｂと、略中央に左端側から右端側に至る２つの凹部５ｃ，５ｄを設けたものとしている。
【００１８】
左端側から右端側に至る凹部５ｃ，５ｄは、凸部３のうち、前記下端部の左右端にそれぞれ延びる凹部５ａ，５ｂの内側の三角形の凸部３ａの、頂部から底辺までの距離を略３等分する位置を通るように設けられている。
【００１９】
左端側から右端側に至る凹部５ｃ，５ｄは、水平方向に延びているので、空気の流れに沿い、空気が通りやすくなっており、通気性を確保するのに適している。また、前記下端部の左右端にそれぞれ延びる５ａ，５ｂは、表側生地１と使用者との接触面を減らすとともに熱を逃がすことができるので、より椅子の使用感が向上する。
【００２０】
さらに、表側生地１は、このように凸部３と凹部５ａ，５ｂ，５ｃ，５ｄにより縦横に区画された構成となっているため、保形性がよく、凸部３がへたりにくいので、適度に中空部４を有した状態を長期間維持することができる。
【００２１】
なお、凹部５ａ，５ｂ，５ｃ，５ｄは湾曲させず、直線状に形成されたものとしてもよく、位置も適宜変更して実施することができる。さらに、この背もたれ用部材の対角線にそって斜めに設けることもできる。また、凹部５ａ，５ｂ，５ｃ，５ｄの数も特に限定されない。
【００２２】
凸部３の頂部と凹部５ａ，５ｂ，５ｃ，５ｄの底部との高さの差は１〜２ｃｍ程度で、前記底の左右端にそれぞれ延びる凹部５ａ，５ｂの内側の三角形の凸部３ａは若干低くして使用者の背中との間に隙間を生じさせ、蒸れにくくなるようにしている。凹部５ａ，５ｂ，５ｃ，５ｄの幅は底部が１ｃｍ程度で、上方に向かって広がるようにしている。凸部３や凹部５ａ，５ｂ，５ｃ，５ｄのサイズは、使用者の背中の形状やその他各種の使用条件に応じて調整するとよい。
【００２３】
前記凸部３には、図３に示したように、裏側生地２との間に中空部４を有している。この中空部４により、表側生地１は使用者の背中にソフトに当たる。
【００２４】
裏側生地２は、厚さ５ｍｍ程度の四角形状の発泡ウレタンシートとしているが、これに限定されず、不織布からなるものとしてもよい。表側生地１は、その周縁部や凹部５ａ，５ｂ，５ｃ，５ｄを設けた部分の裏側を、裏側生地２に熱溶着することにより取り付けるようにしている。前記熱溶着により、表側生地１の裏側生地２への取り付けは容易であるとともに、しっかりとした確実な固定状態が得られ、表側生地１が裏側生地２から剥がれにくいものとなっている。なお、縫製によって表側生地１を裏側生地２に取り付けてもよい。
【００２５】
また、この背もたれ用部材は、裏側生地２を背板（図示せず）に固定したものとすることができる。背板への固定は、接着剤による接着、縫着等適宜の方法で行うことができる。背板は、プラスチック、ベニヤ等、適宜の剛性を有する素材からなる四角形状の板とすることができる。背板は弾力性を有するものであることが望ましい。
【００２６】
この背もたれ用部材は、使用者がもたれると、使用者の背中に押されて表側生地１から中空部４内の空気が抜けつつ、凸部３が使用者の背中に接触するので、従来のクッション材を使用したものよりも使用者の背中にソフトに当たる。従って、柔らかいクッション性が得られ、長時間使用者の背中に密着した状態でも、使用者に痛みを与えにくい。しかも、表側生地１は通気性を有しているので、背中が蒸れにくく、使用感の優れたものとなる。
【００２７】
また、凹部５ａ，５ｂ，５ｃ，５ｄを形成した部分が使用者の背中に接触しない溝となっており、背もたれ用部材と使用者の背中との間に隙間が生じるので、さらに通気性が優れ、背中が蒸れにくいものとなっている。
【００２８】
なお、表側生地１や裏側生地２の寸法、形状等は前述の構成に限定されず、適宜変更して実施することができる。
【００２９】
また、この背もたれ用部材は、オフィス等で使用される椅子以外にも、例えば図４に示すように、車椅子の背もたれや、図５に示すように、自動車の座席の背もたれに設けることもでき、さらに、その他様々な種類の製品において、使用者が座ったときに背中に当たる箇所に設けることができる。
【産業上の利用可能性】
【００３０】
家庭、オフィスで使用される椅子、車椅子、自動車内の座席等に設けることが可能である。
【図面の簡単な説明】
【００３１】
【図１】この発明の実施形態の背もたれ用部材を設けた椅子の斜視図である。
【図２】この発明の実施形態の背もたれ用部材の分解状態の斜視図である。
【図３】この発明の実施形態の背もたれ用部材の断面図である。
【図４】この発明の他の実施形態の背もたれ用部材を設けた車椅子の斜視図である。
【図５】この発明の他の実施形態の背もたれ用部材を設けた自動車の座席の斜視図である。
【符号の説明】
【００３２】
１  表側生地
２  裏側生地
３  凸部
４  中空部
５ａ，５ｂ，５ｃ，５ｄ  凹部
【図１】
2005185722.tif 000003
【図２】
2005185722.tif 000004
【図３】
2005185722.tif 000005
【図４】
2005185722.tif 000006
【図５】
2005185722.tif 000007